(57)【要約】【課題】ＲＦＩＤを利用して、収集されたスキー情報を集客情報に編集してインターネットで配信するスキー場利用情報配信システムおよび利用方法を提供する。【解決手段】ＲＦＩＤに少なくともＩＤコードを記録し、ＩＤコードを検索コードとして収集した情報を編集して利用者の通信端末に配信するスキー場利用情報配信システムであって、スキー場で利用者に所持されるＲＦＩＤと、所定の場所に設置されＲＦＩＤに向けて読取り、書き込み信号を送受信するゲートと、利用者のメールアドレス情報とＲＦＩＤ情報を関連付けて収集し格納する顧客情報収集装置と、スキー場利用情報を配信するスキー場サーバと、利用者の通信端末と、を有するスキー場利用情報配信システムおよび利用方法を提供する。【選択図】  図１
2006172254.tif 000002
【特許請求の範囲】
【請求項１】
ＲＦＩＤに少なくともＩＤコードを記録し、ＩＤコードを検索コードとして収集した情報を編集して利用者の通信端末に配信するスキー場利用情報の配信システムであって、
スキー場で利用者に所持されるＲＦＩＤと、所定の場所に設置されＲＦＩＤに向けて読取り、書き込み信号を送受信するゲートと、利用者のメールアドレス情報とＲＦＩＤ情報を関連付けて収集し格納する顧客情報収集装置と、スキー場利用情報を配信するスキー場サーバと、
利用者の通信端末と、
を有することを特徴とするスキー場利用情報配信システム。
【請求項２】
請求項１に記載のスキー場利用情報配信システムにおいて、スキー場サーバが配信するスキー場利用情報には、少なくともゲート利用情報、ゲート利用時間情報の何れかが含まれることを特徴とするスキー場利用情報配信システム。
【請求項３】
請求項１〜２に記載のスキー場利用情報配信システムを使用したスキー場利用情報の利用方法であって、
少なくとも、スキー場側が利用者にＲＦＩＤを貸与、または、購入させるステップと、ＲＦＩＤコードと利用者のメールアドレスを関連付けて顧客情報収集装置に登録するステップと、ＲＦＩＤまたはゲートから顧客情報収集装置にスキー場利用情報を収集するステップと、収集したスキー場利用情報を編集プログラムによってＲＦＩＤ別，利用施設別，競技別に編集するステップと、スキー場サーバからスキー場利用情報を配信するステップと、通信端末にスキー場利用情報を表示するステップとからなることを特徴とするスキー場利用情報利用方法。
【発明の詳細な説明】
【技術分野】
【０００１】
本発明は、スキー場利用情報配信システムおよび利用方法に関し、詳しくは、ＲＦＩＤを利用して、収集されたスキー情報を集客情報に編集してインターネットで配信するスキー場利用情報配信システムおよび利用方法に関する。
【背景技術】
【０００２】
従来、スキー場で使用されている利用客管理システムの多くは、リフト利用の管理システムで、バーコード，ＲＦＩＤ等の読取媒体を利用客に貸与、または、購入させ、リフトを利用する際にゲートで読み取り、回数をチェックして管理するものであった。
そこで、記録媒体の回収率の向上が期待でき、省資源が図れ、媒体を再使用することによって発行コストも低減でき、要員の削減も図ることができてシステムの運用コストの低減も期待できるスキー場や遊園地向けゲート運用管理装置が提案されている（例えば、特許文献１参照）。
【０００３】
前述の特許文献１で開示されているゲート運用管理装置は、所定データのリード・ライトが可能なカード型データキャリアと、前記データキャリアの所定距離範囲内への近接時にこれと交信する通信手段と、前記通信手段を通じて前記データキャリアと交信し、それに書込まれているデータを読出して通過許可条件と照合し、通過許可条件をクリアしていればゲート通過許可指令を出力し、前記データキャリアのゲート利用履歴データを更新するゲート管理装置と、前記データキャリアに書込まれている前記ゲート利用履歴データを読取り、場内各ゲートの利用履歴を所定の様式で出力する利用履歴出力装置を備えたものである。
【０００４】
【特許文献１】特開２００１−２２９６８号公報
【発明の開示】
【発明が解決しようとする課題】
【０００５】
前述の開示技術は、ゲートの利用管理にとどまっており、ＲＦＩＤ（データキャリア）の機能を十分に活用したものではなかった。
【課題を解決するための手段】
【０００６】
前記課題を解決するために、本発明のスキー場利用情報配信システムの請求項１に記載の発明は、ＲＦＩＤに少なくともＩＤコードを記録し、ＩＤコードを検索コードとして収集した情報を編集して利用者の通信端末に配信するスキー場利用情報配信システムであって、スキー場で利用者に所持されるＲＦＩＤと、所定の場所に設置されＲＦＩＤに向けて読取り、書き込み信号を送受信するゲートと、利用者のメールアドレス情報とＲＦＩＤ情報を関連付けて収集し格納する顧客情報収集装置と、スキー場利用情報を配信するスキー場サーバと、利用者の通信端末と、を有することを特徴とするものである。
【０００７】
また、請求項２に記載の発明は、請求項１に記載の発明において、スキー場サーバが配信するスキー場利用情報には、少なくともゲート利用情報、ゲート利用時間情報の何れかが含まれることを特徴とするものである。
【０００８】
また、請求項３に記載の発明は、請求項１〜２に記載のスキー場利用情報配信システムを使用したスキー場利用情報の利用方法であって、少なくとも、スキー場側が利用者にＲＦＩＤを貸与、または、購入させるステップと、ＲＦＩＤコードと利用者のメールアドレスを関連付けて顧客情報収集装置に登録するステップと、ＲＦＩＤまたはゲートから顧客情報収集装置にスキー場利用情報を収集するステップと、収集したスキー場利用情報を編集プログラムによってＲＦＩＤ別，利用施設別，競技別に編集するステップと、スキー場サーバからスキー場利用情報を配信するステップと、通信端末にスキー場利用情報を表示するステップとからなることを特徴とするものである。
【発明の効果】
【０００９】
本発明のスキー場利用情報配信システムおよび配信方法を実行することによって、従来は、スキー場で使用されるＲＦＩＤは、プリペイドで購入されたリフト利用の回数をチェックされるだけの役割だったものを、スキー技術を競うためのデータ収集にまで目的を広げ、通信端末のメールアドレスを登録させてＲＦＩＤコードと連携させることによって、利用者に技術向上に繋がる情報として配信することができ、一方でスキー場のサービス向上につなげ、利用客獲得手段として利用することができる。
【発明を実施するための最良の形態】
【００１０】
以下、図面を参照して、本発明のスキー場利用情報配信システムについて説明する。
図１は、本発明のスキー場利用情報配信システムを構築するための装置構成について説明するための図，図２は、ＲＦＩＤの一例について説明するための図，図３は、顧客情報収集装置について説明するためのブロック図，図４は、本発明のスキー場利用情報の配信手順について説明するための図，である。
【００１１】
図１を参照して、本発明のスキー場利用情報配信システムを構築するための装置構成について説明する。
スキー場施設１は、利用客に所持させるＲＦＩＤ１１を準備し，ゲートをリフトの搭乗口に設け、ＲＦＩＤを監視するゲートａ１３,ゲートｂ１４，ゲートに接続されて顧客情報を収集したり、ＲＦＩＤを発行したり、スキー場サーバに接続されてスキー場利用情報を提供する顧客情報収集装置１５，スキー場サーバ１２を設置する。
利用者側は、スキー場利用情報を受信する通信端末２を設置する。
【００１２】
ＲＦＩＤ１１は、利用者が所持し易いカードサイズの無線装置で、読取書き込み装置であるゲートａ，ｂから送信された質問情報をＲＦＩＤのアンテナで受信し、ＲＦＩＤに書き込まれたＩＤコードをゲートに送信する。
【００１３】
ゲートは、リフトの搭乗口や、レストランなどの入り口に設けられ、ＲＦＩＤの利用状況を記録する。
また、ＲＦＩＤの搭乗回数や搭乗時間等の利用情報を記録する。
また、顧客情報収集装置からの収集コマンドに呼応して、各ＲＦＩＤのＩＤコード別利用情報をレスポンスする。
【００１４】
顧客情報収集装置１５は、ＲＦＩＤの発行，ＲＦＩＤ別ゲート利用情報の収集，サーバへのスキー場利用情報の提供を行う。
また、インターネットでスキー場利用情報を利用者に提供するために、利用者が所持するＲＦＩＤと、利用者のメールアドレスを関連付けて登録する。
【００１５】
スキー場サーバ１２は、顧客情報収集装置からＲＦＩＤの利用情報を収集して利用者のＩＤコード別に利用状況を集計し、利用者のランク付けを行ったり、前年との比較データを作成したり、利用金額や頻度によってポイントの付与等を行い、スキー場利用情報として利用者の通信端末に送信する。
また、スキー場の混雑情報や、イベント情報などのサービス情報を配信する。
【００１６】
通信端末は、操作部，表示部，通信部を有するパーソナルコンピュータや、携帯電話や、ＰＤＡ（Ｐｅｒｓｏｎａｌ  Ｄｉｇｉｔａｌ  Ａｓｓｉｓｔａｎｃｅ）等で、スキー場サーバが配信するスキー場利用情報を表示する。
【００１７】
図２を参照して、ＲＦＩＤの一例について説明する。
ＲＦＩＤとはＩＣチップにアンテナを接続して、無線で情報の読取・書込みを行う非接触ＩＣカードや、ＩＣタグ，無線タグなどと呼ばれる記録媒体のことをいう。
図２は、カード状のＲＦＩＤを透視して、ＲＦＩＤモジュールを表出した状態を示している。
回路基材１１３の片面全面に金属薄膜が形成され、その上にレジスト膜が形成され、渦巻状のパターンが焼きこまれ、非アンテナ部分がエッチングなどの方法で除去されてアンテナ回路が形成される。
ＩＣチップ１１２のアンテナ端子はアンテナ回路１１１の先端と終端に接続されて回路基材１１３に固定される。
ＲＦＩＤが本実施の形態で使用される場合は、クレジットカードカードサイズの基材の中に内包されて使用される。
また、図示しないが、アンテナの形状やタグの形状は、それぞれ使用される電波の周波数によってＩＳＯ（国際規格）によって定められている。
アンテナがＩＣチップの基板上に直接形成されたものもある。
スキー場で使用されるＲＦＩＤは、比較的離れたゲートからの電波を受信して発電し、情報の送受信を行うために、アンテナ部分をチップとは別の平面に大きめに形成したものを使用している。
【００１８】
ＲＦＩＤを選択するにあたって、例えば、情報を書き換えたり、履歴情報を記録保管するアプリケーションの場合は、記憶容量が大きなチップを選択し、チップに記録されたＩＤコードを読ませるだけのようなアプリケーションには記憶容量の小さなＩＣチップを選択する。
また、ＲＦＩＤには、記録した情報を消去して繰り返し使用することができるものがあるために、ＲＦＩＤそのものが多少高価でも繰り返し利用できるアプリケーションでは回収し、再書き込みを行って使用することができ、ＲＦＩＤのランニングコストを低く設定することができる。
【００１９】
図３を参照して、顧客情報収集装置について説明する。
顧客情報収集装置１５は、ＲＦＩＤ１１の発行，ゲートからＲＦＩＤの利用情報の収集，スキー場利用情報を利用したい利用者のメールアドレスの登録，スキー場サーバへのスキー場利用情報の提供，を実施する。
顧客情報収集装置１５は、ＲＦＩＤ１１の記録情報を読み取ったり、ＲＦＩＤに新たな情報を書き込んだり、ＲＦＩＤＩＦ（ＲＦＩＤの記録内容を書き換えたりするためのインターフェイス）１５１を備えている。
また、スキー場利用情報を利用したい利用者のために、ＲＦＩＤ１１からＩＤコードを読み取って、利用者のメールアドレスを登録させるための入力部１５２を備えている。
また、入力部を利用する際に入力情報を表示する表示部１５３を備えている。
また、各ゲートと通信するためのゲートＩＦ１５４，スキー場サーバへの出力部であるスキー場サーバＩＦ１５６を備えている。
これら、ＲＦＩＤＩＦ１５１，入力部１５２，表示部１５３，ゲートＩＦ１５４，スキー場サーバＩＦ１５６はそれぞれ制御部１５５に接続され、制御されている。
【００２０】
図示しないが、前述のスキー場利用情報の一例について説明する。
スキー場は、多くの固定利用客を抱えている。団体で利用する利用客も多く、利用客同士で技を競い合っている例も少なくない。
例えば、リフトを降り、ゲレンデを降り始める地点にＲＦＩＤ読取装置（ゲート）を設置し、停止地点（ゲレンデの最下地点）直前にゲートを設置しておけば、滑降時間を測定することができ、その施設を利用した利用者の順位をＲＦＩＤコード別に計算し公開することができる。
またメールアドレスと関連させることによって実名でランク付けし、インターネットで配信することができる。
このようなデータは、一箇所に利用者を集めて収集するのではなく、自由に滑降している中で採取することができるために、ゲレンデを競技のため独占すること無しに時間を競うことができる。
その結果、上位の利用者同士が電子メールで連絡を取り合ったり、同じスキー場に集まって更に技の向上を図ることができる。
また、スキー場側は集客のためにポイント制を導入したり、メールを通してそのシーズンの積雪情報や、混雑状況，宿泊施設情報を流す事ができる。
【００２１】
図４を参照して、本発明のスキー場利用情報の配信手順と利用手順について説明する。
まず、スキー場側の作業として、スキー場を訪れた利用客に対してＲＦＩＤを発行する（ステップ１；以下、Ｓ１という。）。
発行したＲＦＩＤは、回収しても、次回も利用できるように有償で販売してもかまわない。販売するＲＦＩＤは、会員証として利用させることもできるために、最初の段階で、利用者の希望を確認して決定する。
回収して再利用するＲＦＩＤと会員証として販売するＲＦＩＤは、同一機能部分を有するＲＦＩＤとする。
希望者には顧客情報収集装置の入力手段と表示手段によって通信端末のメールアドレスを登録させる（Ｓ２）。
表示部に表示されたメールアドレスの入力枠にＲＦＩＤのＩＤコードを入力させる。ＲＦＩＤのＩＤコードは、顧客情報収集装置の表示手段によってＲＦＩＤを所定の場所に置くように指示することによって、前記入力枠に自動的に入力させることができる。
顧客情報収集装置は、接続されたゲートからＲＦＩＤコードを検索コードとしてスキー場利用情報を収集する（Ｓ３）。
顧客情報収集装置は、収集したスキー場利用情報を編集プログラムによってＲＦＩＤ別，利用施設別，競技別等に編集し、スキー場サーバが所定の時間に配信できるように、スキー場サーバに送信する（Ｓ４）。
スキー場サーバは、インターネット上にスキー場利用情報を配信する（Ｓ５）。
【００２２】
次に、通信端末側が行う作業として、通信端末の表示部にインターネット画面を表示し、検索情報としてスキー場の名前を入力する。
画面を操作してそのスキー場のホームページを開き、入力枠に会員コード（ＲＦＩＤコード）、または、メールアドレスを入力する。会員コード（ＲＦＩＤコード）と、メールアドレスの両方を入力してもよい。
会員向けサービスページが開かれ、スキー場利用情報を表示してサービスを受けたい項目を選択する（Ｓ６）。
【産業上の利用可能性】
【００２３】
スキー場全般に利用できる。
【図面の簡単な説明】
【００２４】
【図１】本発明のスキー場利用情報配信システムを構築するための装置構成について説明するための図である。
【図２】ＲＦＩＤに一例について説明するための図である。
【図３】顧客情報収集装置について説明するためのブロック図である。
【図４】本発明のスキー場利用情報の配信手順について説明するための図である。
【符号の説明】
【００２５】
１      スキー場側施設
２      通信端末
１１    ＲＦＩＤ
１２    スキー場サーバ
１３    ゲートａ
１４    ゲートｂ
１５    顧客情報収集装置
１１１  アンテナ
１１２  ＩＣチップ
１１３  回路基材
１５１  ＲＦＩＤインターフェイス
１５２  入力部
１５３  表示部
１５４  ゲートインターフェイス
１５５  制御部
１５６  スキー場サーバインターフェイス
【図１】
2006172254.tif 000003
【図２】
2006172254.tif 000004
【図３】
2006172254.tif 000005
【図４】
2006172254.tif 000006